(57)【特許請求の範囲】
【請求項１】
複数スピーカの配置規則を規定するスピーカ配置パターンを複数記憶する記憶手段と、
前記複数スピーカが配置される面の寸法を示す面寸法データおよび当該面の基準位置を示す基準位置データを含む面設定データを取得する面設定データ取得手段と、
前記記憶手段内のスピーカ配置パターンを選択する選択手段と、
前記複数スピーカの配置間隔を示すピッチデータを取得するピッチデータ取得手段と、
前記選択手段により選択されたスピーカ配置パターンが示す配置規則に基づき、前記面設定データ取得手段により取得された面寸法データの示す寸法と前記基準位置データの示す基準位置と前記ピッチデータ取得手段により取得されたピッチデータの示す配置間隔とから、前記面内に設置されるスピーカの数と位置とを特定する位置特定手段と、
前記位置特定手段により特定されたスピーカの位置を示す位置データとスピーカの数を示す数データとを含む音響シミュレーション面データを生成する生成手段と
を具備することを特徴とするデータ処理装置。
【請求項２】
請求項１に記載のデータ処理装置において、
前記面設定データ取得手段により取得された面寸法データ、基準位置データ、前記選択手段により選択されたスピーカ配置パターン、及び、前記ピッチデータ取得手段により取得されたピッチデータを記憶する面設定データ記憶手段と、
前記面設定データ記憶手段に記憶された面寸法データ、基準位置データ、スピーカ配置パターン及びピッチデータの少なくともいずれか一つの値を変更し、新たに前記面設定データ記憶手段に記憶する編集手段と、
前記面設定データ記憶手段に記憶された面寸法データ、基準位置データ、スピーカ配置パターン及びピッチデータを複製し、新たに前記面設定データ記憶手段に記憶する複製手段と
を備え、
前記位置特定手段は、前記面設定データ記憶手段に記憶されたスピーカ配置パターンが示す配置規則に基づき、前記面設定データ記憶手段に新たに記憶された前記データを含む面寸法データの示す寸法と前記基準位置データの示す基準位置とピッチデータの示す配置間隔とから、前記面内に設置されるスピーカの数と位置とを特定する
を具備することを特徴とするデータ処理装置。
【請求項３】
請求項１又は２に記載のデータ処理装置において、
前記生成手段により生成された音響シミュレーション面データを記憶する音響シミュレーション面データ記憶手段と、
前記音響シミュレーション面データ記憶手段に記憶された音響シミュレーション面データを読み出して複製し、新たに前記音響シミュレーション面データ記憶手段に記憶する音響シミュレーション面データ複製手段と
前記音響シミュレーション面データ記憶手段に記憶された音響シミュレーション面データを読み出して変更し、新たに音響シミュレーション面データ記憶手段に記憶する音響シミュレーション面データ編集手段と
を具備することを特徴とするデータ処理装置。
【請求項４】
請求項１乃至３のいずかに記載のデータ処理装置において、
前記面に配置するスピーカの配置密集度を示す密集度データを取得する密集度データ取得手段と、
前記密集度データ取得手段により取得された密集度データの示す密集度と前記選択手段により選択されたスピーカ配置パターンとから、前記スピーカの配置間隔を算出する配置間隔算出手段と
を具備し、
前記ピッチデータ取得手段は、前記配置間隔算出手段により算出された配置間隔を示すピッチデータを取得する
ことを特徴とするデータ処理装置。
【請求項５】
請求項４に記載のデータ処理装置において、
聴取位置における音圧レベルを示す音圧レベルデータを取得する音圧レベルデータ取得手段と、
前記音圧レベルデータ取得手段により取得された音圧レベルデータの示す音圧レベルからスピーカの配置密集度を算出する密集度算出手段と
を備え、
前記密集度データ取得手段は、前記密集度算出手段により算出された密集度を示す密集度データを取得する
ことを特徴とするデータ処理装置。
【請求項６】
請求項１乃至５のいずれかに記載のデータ処理装置において、
前記面設定データ取得手段は、更に前記面の角度を示す面角度データと、前記音響の指向性の方向を示す音響方向データとを含む面設定データを取得し、
前記面設定データ取得手段により取得された面角度データと音響方向データとを用いて、前記面に対する前記スピーカの角度を算出するスピーカ角度算出手段
を備え、
前記生成手段は、前記位置データと前記数データとに加えて、前記スピーカ角度算出手段により算出された角度を示すスピーカ角度データを含む音響シミュレーション面データを生成する
ことを特徴とするデータ処理装置。
【請求項７】
請求項１乃至６のいずれかに記載のデータ処理装置において、
前記スピーカの種別を示すスピーカ種別データと各スピーカに接続可能なアンプの種別を示すアンプ種別データとの対応関係を記憶する対応関係記憶手段と、
前記スピーカ種別データを取得するスピーカ種別データ取得手段と、
前記位置特定手段により特定された各スピーカの位置及び前記スピーカ種別データ取得手段により取得されたスピーカ種別データを用いて、前記各スピーカに対して接続を推奨するアンプを前記対応関係記憶手段を参照して特定する推奨アンプ特定手段と
を具備し、
前記生成手段は、前記推奨アンプ特定手段による特定結果を示す推奨アンプデータを含む音響シミュレーション面データを生成する
ことを特徴とするデータ処理装置。
【請求項８】
請求項１乃至７のいずれかに記載のデータ処理装置において、
前記面設定データの入力を促す入力画面を表示手段に表示させる入力画面表示制御手段
を備え、
前記取得手段は、操作者によって操作される操作手段から出力される信号に応じて前記面設定データを取得し、
前記生成手段は、前記音響シミュレーション面データを生成し、生成した音響シミュレーション面データの示す内容を前記表示手段に表示させる
ことを特徴とするデータ処理装置。
【請求項９】
複数スピーカの配置規則を規定するスピーカ配置パターンを複数記憶する記憶手段を備えるコンピュータを、
前記複数スピーカが配置される面の寸法を示す面寸法データおよび当該面の基準位置を示す基準位置データを含む面設定データを取得する面設定データ取得手段と、
前記記憶手段内のスピーカ配置パターンを選択する選択手段と、
前記複数スピーカの配置間隔を示すピッチデータを取得するピッチデータ取得手段と、
前記選択手段により選択されたスピーカ配置パターンが示す配置規則に基づき、前記面設定データ取得手段により取得された面寸法データの示す寸法と前記基準位置データの示す基準位置と前記ピッチデータ取得手段により取得されたピッチデータの示す配置間隔とから、前記面内に設置されるスピーカの数と位置とを特定する位置特定手段と、
前記位置特定手段により特定されたスピーカの位置を示す位置データとスピーカの数を示す数データとを含む音響シミュレーション面データを生成する生成手段
として機能させるためのプログラム。
【請求項１０】
請求項９に記載のプログラムにおいて、
前記コンピュータを、
前記面設定データ取得手段により取得された面寸法データ、基準位置データ、前記選択手段により選択されたスピーカ配置パターン、及び、前記ピッチデータ取得手段により取得されたピッチデータを面設定データ記憶手段に記憶する面設定データ記憶制御手段と、
前記面設定データ記憶手段に記憶された面寸法データ、基準位置データ、スピーカ配置パターン及びピッチデータの少なくともいずれか一つの値を変更し、新たに前記面設定データ記憶手段に記憶する編集手段と、
前記面設定データ記憶手段に記憶された面寸法データ、基準位置データ、スピーカ配置パターン及びピッチデータを複製し、新たに前記面設定データ記憶手段に記憶する複製手段
として機能させ、
前記位置特定手段は、前記面設定データ記憶手段に記憶されたスピーカ配置パターンが示す配置規則に基づき、前記面設定データ記憶手段に新たに記憶された前記データを含む面寸法データの示す寸法と前記基準位置データの示す基準位置とピッチデータの示す配置間隔とから、前記面内に設置されるスピーカの数と位置とを特定する
ことを特徴とするプログラム。
【請求項１１】
請求項９又は１０に記載のプログラムにおいて、
前記コンピュータを、
前記生成手段により生成された音響シミュレーション面データを音響シミュレーション面データ記憶手段に記憶する音響シミュレーション面データ記憶制御手段と、
前記音響シミュレーション面データ記憶手段に記憶された音響シミュレーション面データを読み出して複製し、新たに前記音響シミュレーション面データ記憶手段に記憶する音響シミュレーション面データ複製手段と
前記音響シミュレーション面データ記憶手段に記憶された音響シミュレーション面データを読み出して変更し、新たに音響シミュレーション面データ記憶手段に記憶する音響シミュレーション面データ編集手段
として更に機能させるためのプログラム。
【請求項１２】
請求項９乃至１１のいずれかに記載のプログラムにおいて、
前記コンピュータを、
前記面に配置するスピーカの配置密集度を示す密集度データを取得する密集度データ取得手段と、
前記密集度データ取得手段により取得された密集度データの示す密集度と前記選択手段により選択されたスピーカ配置パターンとから、前記スピーカの配置間隔を算出する配置間隔算出手段
として機能させ、
前記ピッチデータ取得手段は、前記配置間隔算出手段により算出された配置間隔を示すピッチデータを取得する
ことを特徴とするプログラム。
【請求項１３】
請求項１２に記載のプログラムにおいて、
前記コンピュータを、
聴取位置における音圧レベルを示す音圧レベルデータを取得する音圧レベルデータ取得手段と、
前記音圧レベルデータ取得手段により取得された音圧レベルデータの示す音圧レベルからスピーカの配置密集度を算出する密集度算出手段
として機能させ、
前記密集度データ取得手段は、前記密集度算出手段により算出された密集度を示す密集度データを取得する
ことを特徴とするプログラム。
【請求項１４】
請求項９乃至１３のいずれかに記載のプログラムにおいて、
前記面設定データ取得手段は、更に前記面の角度を示す面角度データと、前記音響の指向性の方向を示す音響方向データとを含む面設定データを取得し、
前記コンピュータを、
前記面設定データ取得手段により取得された面角度データと音響方向データとを用いて、前記面に対する前記スピーカの角度を算出するスピーカ角度算出手段
として更に機能させ、
前記生成手段は、前記位置データと前記数データとに加えて、前記スピーカ角度算出手段により算出された角度を示すスピーカ角度データを含む音響シミュレーション面データを生成する
ことを特徴とするプログラム。
【請求項１５】
請求項９乃至１４のいずれかに記載のプログラムにおいて、
前記コンピュータを、
前記スピーカの種別を示すスピーカ種別データと各スピーカに接続可能なアンプの種別を示すアンプ種別データとの対応関係を記憶する対応関係記憶手段と、
前記スピーカ種別データを取得するスピーカ種別データ取得手段と、
前記位置特定手段により特定された各スピーカの位置及び前記スピーカ種別データ取得手段により取得されたスピーカ種別データを用いて、前記各スピーカに対して接続を推奨するアンプを前記対応関係記憶手段を参照して特定する推奨アンプ特定手段と
として機能させ、
前記生成手段は、前記推奨アンプ特定手段による特定結果を示す推奨アンプデータを含む音響シミュレーション面データを生成する
ことを特徴とするプログラム。
【請求項１６】
請求項９乃至１５のいずれかに記載のプログラムにおいて、
前記コンピュータを、
前記面設定データの入力を促す入力画面を表示手段に表示させる入力画面表示制御手段
として更に機能させ、
前記取得手段は、操作者によって操作される操作手段から出力される信号に応じて前記面設定データを取得し、
前記生成手段は、前記音響シミュレーション面データを生成し、生成した音響シミュレーション面データの示す内容を前記表示手段に表示させる
ことを特徴とするプログラム。
【請求項１７】
複数スピーカが配置される面の寸法を示す面寸法データおよび当該面の基準位置を示す基準位置データを含む面設定データを取得する面設定データ取得手段と、
前記複数スピーカの配置規則を規定するスピーカ配置パターンから特定のスピーカ配置パターンを選択する選択手段と、
前記複数スピーカの配置間隔を示すピッチデータを取得するピッチデータ取得手段と、
前記選択手段により選択されたスピーカ配置パターンが示す配置規則に基づき、前記面設定データ取得手段により取得された面寸法データの示す寸法と前記基準位置データの示す基準位置と前記ピッチデータ取得手段により取得されたピッチデータの示す配置間隔とから、前記面内に設置されるスピーカの数及び位置の少なくともいずれかひとつを特定する位置特定手段と、
前記位置特定手段による特定結果を示すデータを出力する出力手段と
を具備することを特徴とするデータ処理装置。
【発明の詳細な説明】
【技術分野】
【０００１】
本発明は、音響を発生させるための技術に関する。
【背景技術】
【０００２】
劇場等の施設においては、音響を発生させるためのシーリングスピーカやウォールスピーカが天井や側壁に複数分散配置され、それぞれのスピーカによって効果音の再生や残響付加等が実現されている。このように天井や側壁に分散配置されるスピーカ（以下「分散スピーカ」という）について、特許文献１では、スピーカクラスタにより形成される音場をシミュレーションする装置が提案されている。
【特許文献１】特開２００２−３６６１６２号公報
【発明の開示】
【発明が解決しようとする課題】
【０００３】
ところで、シーリングスピーカやウォールスピーカのように、天井や側壁等の面上に複数のスピーカを分散配置する場合においては、各スピーカのセッティング（スピーカの位置、向き、配置等の設定、アンプとの接続等）を、他のスピーカとの関連を考慮しつつ作業者がスピーカ毎に個別に手作業で設計する必要があった。この場合、セッティング後の物理特性や試聴結果がＮＧであれば、作業者は、試行錯誤しながら各スピーカを個別に手動で繰り返し補正しなければならず、その作業は煩雑であった。特許文献１に記載の技術においても、各スピーカのセッティングについては作業者が個々のスピーカについて個別に手動でセッティングする必要があり、その作業は煩雑であった。
【０００４】
本発明は上述した事情に鑑みてなされたものであり、分散スピーカのセッティング作業に係る作業者の作業負荷を軽減することのできる技術を提供することを目的とする。
【課題を解決するための手段】
【０００５】
上記課題を解決するために、本発明の好適な態様であるデータ処理装置は、複数スピーカの配置規則を規定するスピーカ配置パターンを複数記憶する記憶手段と、前記複数スピーカが配置される面の寸法を示す面寸法データおよび当該面の基準位置を示す基準位置データを含む面設定データを取得する面設定データ取得手段と、前記記憶手段内のスピーカ配置パターンを選択する選択手段と、前記複数スピーカの配置間隔を示すピッチデータを取得するピッチデータ取得手段と、前記選択手段により選択されたスピーカ配置パターンが示す配置規則に基づき、前記面設定データ取得手段により取得された面寸法データの示す寸法と前記基準位置データの示す基準位置と前記ピッチデータ取得手段により取得されたピッチデータの示す配置間隔とから、前記面内に設置されるスピーカの数と位置とを特定する位置特定手段と、前記位置特定手段により特定されたスピーカの位置を示す位置データとスピーカの数を示す数データとを含む音響シミュレーション面データを生成する生成手段とを具備することを特徴とする。
【０００６】
上述の態様において、前記面設定データ取得手段により取得された面寸法データ、基準位置データ、前記選択手段により選択されたスピーカ配置パターン、及び、前記ピッチデータ取得手段により取得されたピッチデータを記憶する面設定データ記憶手段と、前記面設定データ記憶手段に記憶された面寸法データ、基準位置データ、スピーカ配置パターン及びピッチデータの少なくともいずれか一つの値を変更し、新たに前記面設定データ記憶手段に記憶する編集手段と、前記面設定データ記憶手段に記憶された面寸法データ、基準位置データ、スピーカ配置パターン及びピッチデータを複製し、新たに前記面設定データ記憶手段に記憶する複製手段とを備え、前記位置特定手段は、前記面設定データ記憶手段に記憶されたスピーカ配置パターンが示す配置規則に基づき、前記面設定データ記憶手段に新たに記憶された前記データを含む面寸法データの示す寸法と前記基準位置データの示す基準位置とピッチデータの示す配置間隔とから、前記面内に設置されるスピーカの数と位置とを特定してもよい。
【０００７】
また、上述の態様において、前記生成手段により生成された音響シミュレーション面データを記憶する音響シミュレーション面データ記憶手段と、前記音響シミュレーション面データ記憶手段に記憶された音響シミュレーション面データを読み出して複製し、新たに前記音響シミュレーション面データ記憶手段に記憶する音響シミュレーション面データ複製手段と前記音響シミュレーション面データ記憶手段に記憶された音響シミュレーション面データを読み出して変更し、新たに音響シミュレーション面データ記憶手段に記憶する音響シミュレーション面データ編集手段とを具備してもよい。
【０００８】
また、上述の態様において、前記面に配置するスピーカの配置密集度を示す密集度データを取得する密集度データ取得手段と、前記密集度データ取得手段により取得された密集度データの示す密集度と前記選択手段により選択されたスピーカ配置パターンとから、前記スピーカの配置間隔を算出する配置間隔算出手段とを具備し、前記ピッチデータ取得手段は、前記配置間隔算出手段により算出された配置間隔を示すピッチデータを取得してもよい。
【０００９】
この態様において、聴取位置における音圧レベルを示す音圧レベルデータを取得する音圧レベルデータ取得手段と、前記音圧レベルデータ取得手段により取得された音圧レベルデータの示す音圧レベルからスピーカの配置密集度を算出する密集度算出手段を備え、前記密集度データ取得手段は、前記密集度算出手段により算出された密集度を示す密集度データを取得してもよい。
【００１０】
また、上述の態様において、前記面設定データ取得手段は、更に前記面の角度を示す面角度データと、前記音響の指向性の方向を示す音響方向データとを含む面設定データを取得し、前記面設定データ取得手段により取得された面角度データと音響方向データとを用いて、前記面に対する前記スピーカの角度を算出するスピーカ角度算出手段を備え、前記生成手段は、前記位置データと前記数データとに加えて、前記スピーカ角度算出手段により算出された角度を示すスピーカ角度データを含む音響シミュレーション面データを生成してもよい。
【００１１】
また、上述の態様において、前記スピーカの種別を示すスピーカ種別データと各スピーカに接続可能なアンプの種別を示すアンプ種別データとの対応関係を記憶する対応関係記憶手段と、前記スピーカ種別データと前記アンプ種別データとを取得する種別データ取得手段と、前記位置特定手段により特定された各スピーカの位置、前記スピーカ種別データ取得手段により取得されたスピーカ種別データ及び前記アンプ種別データを用いて、前記各スピーカに対して接続を推奨するアンプを前記対応関係記憶手段を参照して特定する推奨アンプ特定手段とを具備し、前記生成手段は、前記推奨アンプ特定手段による特定結果を示す推奨アンプデータを含む音響シミュレーション面データを生成してもよい。
【００１２】
また、上述の態様において、前記面設定データの入力を促す入力画面を表示手段に表示させる入力画面表示制御手段を備え、前記取得手段は、操作者によって操作される操作手段から出力される信号に応じて前記面設定データを取得し、前記生成手段は、前記音響シミュレーション面データを生成し、生成した音響シミュレーション面データの示す内容を前記表示手段に表示させてもよい。
また、本発明の好適な態様であるデータ処理装置は、複数スピーカが配置される面の寸法を示す面寸法データおよび当該面の基準位置を示す基準位置データを含む面設定データを取得する面設定データ取得手段と、前記複数スピーカの配置規則を規定するスピーカ配置パターンから特定のスピーカ配置パターンを選択する選択手段と、前記複数スピーカの配置間隔を示すピッチデータを取得するピッチデータ取得手段と、前記選択手段により選択されたスピーカ配置パターンが示す配置規則に基づき、前記面設定データ取得手段により取得された面寸法データの示す寸法と前記基準位置データの示す基準位置と前記ピッチデータ取得手段により取得されたピッチデータの示す配置間隔とから、前記面内に設置されるスピーカの数及び位置の少なくともいずれかひとつを特定する位置特定手段と、前記位置特定手段による特定結果を示すデータを出力する出力手段とを具備することを特徴とする。
【発明の効果】
【００１３】
本発明によれば、分散スピーカのセッティング作業に係る作業者の作業負荷を軽減することができる。
【発明を実施するための最良の形態】
【００１４】
以下、図面を参照して、この発明の実施形態について説明する。
＜Ａ：構成＞
図１は、この発明の一実施形態であるデータ処理装置１のハードウェア構成を示すブロック図である。データ処理装置１は、劇場や会議場等の施設において配置されるシーリングスピーカやウォールスピーカ等の複数の分散スピーカのセッティング（位置、角度、配置等の設定、アンプ接続等）をシミュレートするための装置である。このデータ処理装置１は、役割毎にグルーピングされたスピーカ群を単位として各スピーカのセッティング処理を行う。具体的には、例えば、一つの部屋の天井にアナウンス用のシーリングスピーカ群とＢＧＭ用のシーリングスピーカ群とを配置する場合には、データ処理装置１は、配置するシーリングスピーカをアナウンス用とＢＧＭ用との役割毎にグルーピングし、役割毎にスピーカの各種設定値を算出する。以下の説明では、説明の便宜上、グルーピングされたスピーカが分散して配置される面（天井、天井の一部、側壁等）を「分散スピーカ面」と称して説明する。上述の例のように一つの部屋の天井にアナウンス用のシーリングスピーカ群とＢＧＭ用のシーリングスピーカ群とを配置する場合には、データ処理装置１は、シーリングスピーカ群を配置する「分散スピーカ面Ｓ１」とＢＧＭ用のシーリングスピーカ群を配置する「分散スピーカ面Ｓ２」とを、それぞれ別々の面として捉え、分散スピーカ面Ｓ１，Ｓ２のそれぞれに配置されるスピーカの設定値を、分散スピーカ面毎に算出する。
【００１５】
図において、制御部１１は、ＣＰＵ（Central Processing Unit）やＲＯＭ（Read Only Memory）、ＲＡＭ（Random Access Memory）を備え、ＲＯＭ又は記憶部１２に記憶されているコンピュータプログラムを読み出して実行することにより、バスを介してデータ処理装置１の各部を制御する。記憶部１２は、制御部１１によって実行されるコンピュータプログラムやその実行時に使用されるデータを記憶するための記憶手段であり、例えばハードディスク装置である。表示部１３は、液晶パネルを備え、制御部１１による制御の下に各種の画像を表示する表示装置である。操作部１４は、例えばキーボードやマウス等を備え、データ処理装置１の操作者による操作に応じた信号を制御部１１に出力する。なお、この実施形態では、表示部１３と操作部１４がデータ処理装置１に含まれている場合について説明するが、表示部１３や操作部１４がデータ処理装置１に外付けされる形式であってもよい。
【００１６】
記憶部１２は、図示のように、配置パターンデータ記憶領域１２１と、スピーカ・アンプ対応テーブル記憶領域１２２と、面設定データ記憶領域１２３と、音響シミュレーション面データ記憶領域１２４とを有している。配置パターンデータ記憶領域１２１には、音響を発生させるためのスピーカを分散スピーカ面に複数配置する際の複数のスピーカの配置規則（配置パターン）を規定する配置パターンデータが複数記憶されている。配置パターンデータには、配置パターンを識別するパターン種別データ（例えば、「Rectangular」、「Checkerboard」、等）が付与されている。「Rectangular」のパターン種別データが付与された配置パターンデータは、スピーカを格子状に配置する配置パターンを示すデータである。
【００１７】
スピーカ・アンプ対応テーブル記憶領域１２２には、スピーカ種別（機種等）を示すスピーカ種別データと接続が推奨されるアンプの種別を示すアンプ種別データとの対応関係を示すテーブルが記憶されている。図２はこのテーブルの内容の一例を示す図である。図示のように、このテーブルは、「スピーカ種別」に対応して「接続可能アンプ種別」と「接続可能スピーカ接続パターンと上限数」との各項目が互いに関連付けて記憶されている。これらの項目のうち、「接続可能アンプ種別」の項目には、各スピーカ種別に対して接続可能なアンプ種別（機種名等）を示すデータが記憶される。「接続可能スピーカパターンと上限数」の項目には、その接続可能なアンプ種別に応じて接続可能なスピーカのパターンと上限数を示すデータが記憶される。接続可能なスピーカのパターンとは、例えば、ハイインピーダンス（７０Ｖ）、ハイインピーダンス（１００Ｖ）、ローインピーダンス（直列接続）、ローインピーダンス（並列接続）等のように、伝送系のロスや、スピーカとアンプとのインピーダンスの整合性等を考慮して接続パターンが決定される。データ処理装置１の制御部１１は、後述する推奨アンプ決定処理を行う際にこのテーブルを参照して推奨アンプを決定する。なお、スピーカ・アンプ対応テーブルの内容は図２に示すものに限定されるものではなく、スピーカ種別データと各スピーカ種別に接続可能なアンプ種別を示すアンプ種別データとの対応関係を示すものであればよい。
【００１８】
面設定データ記憶領域１２３には、作業者が操作部１４を操作することによって入力される、分散スピーカ面のプロパティを設定するための面設定データが記憶される。面設定データは、分散スピーカ面の名称を示す「名称データ」、分散スピーカ面の寸法（サイズ）を示す「面寸法データ」、分散スピーカ面の基準位置を示す「基準位置データ」、分散スピーカ面の角度を示す「面角度データ」、分散スピーカ面に配置するスピーカの配置パターンの種別を示す「パターン種別データ」、分散スピーカ面に配置されるスピーカの種類を示す「スピーカ種別データ」等を含む。
【００１９】
音響シミュレーション面データ記憶領域１２４には、データ処理装置１の制御部１１によって特定される、各スピーカのプロパティを示す音響シミュレーション面データが記憶される。音響シミュレーション面データは、分散スピーカ面に配置される各スピーカの位置を示す「スピーカ位置データ」、分散スピーカ面に配置される各スピーカの角度を示す「スピーカ角度データ」、分散スピーカ面に配置されるスピーカの総数を示す「スピーカ総数データ」、分散スピーカ面に配置されるスピーカの種別を示す「スピーカ種別データ」、分散スピーカ面に配置される各スピーカに接続を推奨するアンプを示す「推奨アンプデータ」等を含む。
【００２０】
＜Ｂ：動作＞
次に、この実施形態の動作について、図３に示すフローチャートを参照しつつ説明する。まず、データ処理装置１の操作者は、操作部１４を用いて、分散スピーカ面のプロパティを設定するための操作を行う。操作部１４は、操作された内容に応じた信号を制御部１１へ供給する。制御部１１は、操作部１４から供給される信号に応じて、分散スピーカ面のプロパティを設定するための画面データを表示部１３に供給し、表示部１３は、供給される画面データに応じて分散スピーカ面のプロパティを設定するための画面を表示する（ステップＳ１）。
【００２１】
図４は、スピーカが分散配置される分散スピーカ面のプロパティを設定するため画面の一例を示す図である。データ処理装置１の制御部１１は、図４に示すような、面設定データの入力を促す設定画面１０１を表示部１３に示して、スピーカが配置される分散スピーカ面のプロパティを操作者が設定できるようにする。図４に示す設定画面１０１は、「Ｎａｍｅ」と「Ｓｐｅａｋｅｒｓ」と「Ｐｌａｎｅ  Ｇｅｏｍｅｔｒｙ」との各表示領域を有している。「Ｎａｍｅ」の表示領域には、分散スピーカ面の名称を操作者が設定することのできるテキストボックス１０２が表示される。操作者は、操作部１４を用いて分散スピーカ面の名称を入力する。
【００２２】
次に、設定画面１０１の「Ｓｐｅａｋｅｒｓ」の表示領域には、その分散スピーカ面に設置するスピーカの機種を選択するためのプルダウンメニュー１０３が表示される。制御部１１は、記憶部１２に予め記憶された複数種類のスピーカの機種名のリストをこのプルダウンメニュー１０３において表示させる。操作者は、このプルダウンメニュー１０３においてプルダウン表示されるリストから操作部１４を用いて所望するスピーカ機種を選択する。
【００２３】
次に、「Ｐｌａｎｅ  Ｇｅｏｍｅｔｒｙ」の表示領域には、その分散スピーカ面の面種別（天井、側壁等）を選択するためのプルダウンメニュー１０４と、分散スピーカ面の基準位置を入力するためのテキストボックス１０５と、分散スピーカ面の寸法を入力するためのテキストボックス１０６と、その分散スピーカ面の音の反射率を設定するためのプルダウンメニュー１０６１と、分散スピーカ面の角度を設定するためのテキストボックス１０７とが表示される。また、設定画面１０１の右下には、ＯＫボタン１０８とキャンセルボタン１０９とが表示される。制御部１１は、記憶部１２に予め記憶された面種別（天井、側壁等）のリストをプルダウンメニュー１０４において表示させる。操作者は操作部１４を用いてこのプルダウンメニュー１０４において表示されるリストから所望する面種別を選択する。また、操作者は、分散スピーカ面の基準位置を（ｘ，ｙ，ｚ）の座標でテキストボックス１０５に入力する。また、操作者は、分散スピーカ面の寸法を（Ｌ，Ｗ）（横幅，縦幅）の値で入力する。なお、基準位置、寸法の単位はｍ（メートル）である。
【００２４】
操作者が操作部１４を用いて図４に示す画面において各種設定を行い、画面右下に表示されたＯＫボタン１０８をクリックする操作を行うと、操作内容に応じた信号が操作部１４から制御部１１へ供給される。制御部１１は、図４に示す画面上で操作が行われることにより、名称データ、スピーカ種別データ、パターン種別データ、基準位置データ、面角度データ、面寸法データ等を含む面設定データを取得する（ステップＳ２）。制御部１１は、取得した面設定データを記憶部１２の面設定データ記憶領域１２３に一時的に格納する（ステップＳ３）。
【００２５】
図４に示す画面においてＯＫボタン１０８が選択される（ステップＳ４；ＹＥＳ）と、次いで、データ処理装置１は、配置パターンの詳細を設定するための詳細設定画面を表示する（ステップＳ５）。この詳細設定画面について、図５乃至図６を参照しつつ以下に説明する。この実施形態では、操作者は、スピーカの配置パターンの詳細を、「Grid」と「Coverage」との２種類の詳細設定画面のいずれかを用いて設定できるようになっている。「Grid」の設定画面では、スピーカを分散スピーカ面に配置する際の配置間隔の数値を直接設定するようになっている。一方、「Coverage」の詳細設定画面では、スピーカから放音される音響の受音面における音圧レベル（受音レベルの程度）の分布条件からスピーカ配置間隔（密集度）を設定するようになっている（詳細は後述）。操作者がいずれかの詳細設定画面を選択して配置パターンの詳細を選択するための操作を行うと、操作部１４は、操作内容に応じて、図５又は図６に例示するような、配置パターンの詳細を設定するための画面を表示部１３に表示させる。
【００２６】
図５は、「Grid」が選択された場合の配置パターンの設定画面の一例を示す図である。データ処理装置１は、図５に示すような、スピーカの配置パターンを操作者が設定するための設定画面２０１を表示部１３表示させる。図５に示す設定画面２０１は、「Ｌａｙｏｕｔ  Ｊｕｄｇｅｍｅｎｔ」と「Ｓｐｅａｋｅｒ  Ａｒｒａｎｇｅｍｅｎｔ」との各表示領域を有している。「Ｌａｙｏｕｔ  Ｊｕｄｇｅｍｅｎｔ」の表示領域には、その分散スピーカ面に配置するスピーカ群の配置パターン種別を選択するためのプルダウンメニュー２０２と、その分散スピーカ面に配置するスピーカの配置間隔（以下「ピッチ」という）を設定するためのテキストボックス２０３Ａ，２０３Ｂとが表示される。制御部１１は、配置パターンデータ記憶領域１２１に記憶された配置パターンデータのパターン種別の一覧をプルダウンメニュー１０４において表示させる。操作者は操作部１４を用いてこのプルダウンメニュー１０４において表示されるリストから所望するパターン種別を選択する。また、操作者は、操作部１４を用いてスピーカの配置間隔を設定する（単位：ｍ）。
【００２７】
次に、「Ｓｐｅａｋｅｒ  Ａｒｒａｎｇｅｍｅｎｔ」の表示領域には、配置するスピーカとこのスピーカが配置される建築面との距離（以下「オフセット値」という）を設定するためのテキストボックス２０４と、配置するスピーカの分散スピーカ面に対する相対的な角度（発生させたい音響の指向性の向き）（Pan, Tilt, Rot）を設定するためのテキストボックス２０５とが表示される。操作者は、操作部１４を用いてオフセット値や角度を設定する。また、図５の画面右上には、配置パターンの設定態様（「Grid」又は「Coverage」）を設定するためのプルダウンメニュー２１１が表示される。
【００２８】
次に、図６は、「Coverage」が選択された場合の配置パターンの詳細設定画面の一例を示す図である。操作者が図５に示す画面に表示されるプルダウンメニュー２１１を用いて「Coverage」を選択する操作を行うと、データ処理装置１は、図６に示すような、スピーカの配置パターンの詳細を操作者が設定するための設定画面２０１を表示部１３に表示させる。図６に示す設定画面３０１は、「ＬａｙｏｕｔＪｕｄｇｅｍｅｎｔ」と「Ｓｐｅａｋｅｒ  Ａｒｒａｎｇｅｍｅｎｔ」との各表示領域を有している。「Ｌａｙｏｕｔ  Ｊｕｄｇｅｍｅｎｔ」の表示領域には、分散スピーカ面に配置するスピーカの配置パターンを選択するためのプルダウンメニュー３０２と、スピーカの配置密集度を算出する際の音圧レベルの算出対象となる周波数帯域をオクターブ帯域の広さで設定するためのプルダウンメニュー３０３と、算出対象周波数帯域の中心周波数を設定するためのプルダウンメニュー３０４と、スピーカの配置密集度を選択するためのラジオボタン３０５とが表示される。
【００２９】
ここで、図６の配置密集度（Density）のパターン図の例は、受音面（観客席聴取面）での各スピーカの音圧コンタ（同図中の円、通常−６ｄＢのレベルを図示）及びこの音圧コンタの中心を結ぶ線（同図中の四角、本図では４つのスピーカに対応）を示す。また、“Maximum Overlap”とは、ある一つのスピーカの音圧コンタの中心を、隣接するスピーカの音圧コンタが通る場合のスピーカ配置である。“Minimum Overlap”とは、対象となる全スピーカの中心（重心）に対応する点を、各音圧コンタが通る場合のスピーカ配置である。“Edge-to-Edge”とは、各スピーカの音圧コンタが、互いに重なることなく接する場合のスピーカ配置であり、“1.4×Edge-to-Edge”とは、“Edge-to-Edge”の場合の音圧コンタの中心間隔の１．４倍の間隔で各スピーカの音圧コンタが接する場合のスピーカ配置であり、“2.0×Edge-to-Edge”とは、“Edge-to-Edge”の場合の音圧コンタの中心間隔の２．０倍の間隔で各スピーカの音圧コンタが接する場合のスピーカ配置である。
【００３０】
次に、「Ｓｐｅａｋｅｒ  Ａｒｒａｎｇｅｍｅｎｔ」の項目には、配置するスピーカとこのスピーカが配置される建築面（天井等）との距離（オフセット値）を設定するためのテキストボックス３０６と、配置するスピーカの角度（Pan, Tilt, Rot）を設定するためのテキストボックス３０７とが表示される。
【００３１】
図５又は図６に示す画面において、操作者が操作部１４を用いてＯＫボタン１０８を選択する操作を行うと、操作部１４は、操作された内容に応じた信号を制御部１１へ出力し、制御部１１は操作部から供給される信号に基づいて、各種の設定データを取得する（ステップＳ６）。図５に例示する画面を用いて設定がなされた場合には、制御部１１は、スピーカの配置間隔を示す「ピッチデータ」と、スピーカと面との距離を示す「オフセット値」と、スピーカの角度（すなわち音響の指向性の向き）を示す「音響方向データ」とを取得する。一方、図６に例示する画面を用いて設定がなされた場合には、制御部１１は、「ピッチデータ」に代えて、スピーカの配置密集度を示す「密集度データ」を取得する。取得されたこれらのデータは、面設定データ記憶領域１２３に一時的に格納される。なお、以下の説明では、説明の便宜上、図５又は図６の画面によって入力される、配置パターンの詳細を設定するためのデータを「レイアウト詳細データ」と称して説明する。また、以下の説明では、説明の便宜上、「パターン種別データ」と「レイアウト詳細データ」とをあわせて「レイアウトデータ」と称して説明する。
【００３２】
上述のような分散スピーカ面の設定が操作者によってなされると、データ処理装置１は、取得したデータを用いて、分散スピーカ面に配置する各スピーカの設定内容（位置、総数、推奨アンプ等）を特定する（ステップＳ７）。ここで、制御部１１が行うスピーカ設定内容特定処理について、図７を参照しつつ説明する。図７は、データ処理装置１の機能的構成を示すブロック図である。図において、データ取得部１１１、スピーカ位置算出部１１２、スピーカ角度算出部１１３、スピーカ総数算出部１１４、スピーカ種類特定部１１５、推奨アンプ決定部１１６及び表示画面生成部１１７はデータ処理装置１の制御部１１がＲＯＭ又は記憶部１２に記憶されたコンピュータプログラムを読み出して実行することにより実現される。なお、図中の矢印はデータの流れを概略的に示すものである。なお、この実施形態ではスピーカ位置算出部１１２やスピーカ角度算出部１１３等はソフトウェアとして実現されるが、これに限らず、ハードウェアによって実現される構成としてもよい。
【００３３】
データ取得部１１１は、操作部１４から出力される信号を取得することにより、操作者の操作によって入力された各種のデータを取得する。具体的には、データ取得部１１１は、上述のように、分散スピーカ面の寸法を示す面寸法データ、分散スピーカ面の基準位置を示す基準位置データ、分散スピーカ面の角度を示す面角度データ、パターン種別データやピッチデータを含むレイアウトデータ、スピーカの種別を示すスピーカ種別データ等を取得する。取得されたデータは面設定データ記憶領域１２３に一時的に蓄積される。
【００３４】
スピーカ位置算出部１１２は、図５に示す画面によってスピーカの配置間隔を示すピッチデータが入力された場合と、図６に示す画面によってスピーカの密集度を示す密集度データが入力された場合とで異なる処理を行う。まず、図５に示す画面によってピッチデータ入力された場合の処理について説明する。スピーカ位置算出部１１２は、データ取得部１１１によって取得されたパターン種別データに対応する配置パターンデータを配置パターンデータ記憶領域１２１から読み出し、データ取得部１１１によって取得された面寸法データの示す面寸法と基準位置データの示す基準位置とに合わせて読み出した配置パターンを展開し、展開した配置パターン上に設置されるスピーカの位置を、データ取得部１１１によって取得されたピッチデータの示す配置間隔に応じて特定し、特定結果を示す位置データを音響シミュレーション面データ記憶領域１２４に記憶する。具体的には、例えば、パターン種別として「Rectangular」、面の寸法（L, W）= （l, w）、面の基準座標（x, y z）=（x0, y0, z0）、配置間隔（pl, pw）、オフセット値（offset）、面角度データ(pan, tilt, rot) = (0, 0, 0)が入力された場合には、スピーカ位置算出部１１２は、図８に示すように、基準座標（x, y z）=（x0, y0, z0）を中心として分散スピーカ面Ａを間隔（pl, pw）毎に格子状に複数の矩形図形に分割した場合の、各矩形図形に分割するグリッドの交差点Ｐ，Ｐ，…上にスピーカを配置するように、各スピーカの位置座標を特定する。具体的には、例えば、スピーカ位置算出部１１２は、次の（１）式を用いてスピーカの位置座標（x±i, y±j, zk）を算出する。
(x±i, y±j, zk) = （x0±（2i-l）pl/2 , y0±（2j-l）pw/2, z0 - offset）…（１）
（ここで、i=1,2,・・imax, j=1,2,…,jmax,  imaxは(l/pl)/2 ＜imax ≦ (l/pl)/2＋１ を満たす整数; jmaxは(w/pw )/2 ＜jmax ≦ (w/pw)/2＋１ を満たす整数、ｘ座標値とｙ座標値はそれぞれ複合同順、ｚ座標値のzｋは一定と仮定）
なお、スピーカの配置位置の算出方法は式（１）に示す算出方法に限定されるものではなく、算出方法のアルゴリズムは設計等に応じて変更可能である。
また、スピーカ位置算出部１１２は、分散スピーカ面の角度が指定されている場合には、分散スピーカ面の角度も考慮して各スピーカの位置を算出する。
【００３５】
一方、スピーカ位置算出部１１２は、図６に示す画面によってスピーカの密集度を示す密集度データが入力された場合には、まず、データ取得部１１１によって取得された密集度データの示す密集度とパターン種別データに対応する配置パターンとから、スピーカの配置間隔を算出する。次いで、スピーカ位置算出部１１２は、算出した配置間隔を用いて、各スピーカの位置を特定し、特定結果を示すスピーカ位置データを音響シミュレーション面データ記憶領域１２４に記憶する。この位置特定処理は上述した処理と同様である。
【００３６】
次に、スピーカ角度算出部１１３は、面角度データと音響方向データとを用いて、分散スピーカ面を基準とした場合の分散スピーカ面に対するスピーカの角度を算出し、算出した角度を示す角度データを音響シミュレーション面データ記憶領域１２４に記憶する。算出方法の一例としては、例えば、面角度データとして(pan, tilt, rot) = (pan_c, tilt_c, rot_c)が入力され、音響方向データとして(pan, tilt, rot) = (pan_b, tilt_b, rot_b)が入力された場合には、スピーカ角度算出部１１３は、次の（２）式を用いて、分散スピーカ面に配置される個々のスピーカの角度(pan_s, tilt_s, rot_s)を算出する。
(pan_s, tilt_s, rot_s) = （pan_b, tilt_b, rot_b） - （pan_c, tilt_c, rot_c）…（２）
【００３７】
このようにこの実施形態では、分散スピーカ面の寸法とスピーカ群のレイアウト（例えば５ｍ等間隔格子状レイアウト）を指定すれば、面内の各スピーカの面に対する相対位置が自動決定される。さらに、面の基準位置や角度を指定することにより各スピーカの絶対位置がデータ処理装置１により自動決定される。
【００３８】
次に、スピーカ総数算出部１１４は、データ取得部１１１によって取得されたパターン種別データに対応する配置パターンデータを配置パターンデータ記憶領域１２１から読み出し、データ取得部１１１によって取得された面寸法データの示す面寸法と基準位置データの示す基準位置とに合わせて読み出した配置パターンを展開し、展開した配置パターン上に設置されるスピーカの総数を、ピッチデータの示す配置間隔に応じて特定する。スピーカ総数算出部１１４は特定した総数を示す総数データを音響シミュレーション面データ記憶領域１２４に記憶する。算出方法の具体的な一例としては、例えば、パターン種別として「Rectangular」、面の寸法（L, W）= （l, w）、配置間隔（pl, pw）が入力された場合には、スピーカ総数算出部１１４は、次の（３）式を用いてスピーカの総数numを算出する。
num = ((w /pw) + 1) *(l /pl) + 1)…（３）
【００３９】
スピーカ種類特定部１１５は、面設定データ記憶領域１２３に記憶されたスピーカ種別データを各スピーカのスピーカ種別データとして、音響シミュレーション面データ記憶領域１２４に記憶する。
推奨アンプ決定部１１６は、各スピーカの位置データ、スピーカ総数及び種類を参照して、各スピーカに推奨する推奨アンプを、スピーカ・アンプ対応テーブル記憶領域１２２に記憶されたテーブルを参照して特定する。スピーカ種別特定部１１５は、特定結果を示す推奨アンプデータを音響シミュレーション面データ記憶領域１２４に記憶する。
【００４０】
表示画面生成部１１７は、スピーカ位置算出部１１２、スピーカ角度算出部１１３、スピーカ総数算出部１１４、スピーカ種類特定部１１５及び推奨アンプ決定部１１６によって生成された各データに基づいて、表示画面を示すデータを生成し、生成した画面データを表示部１３に出力する（ステップＳ８）。表示部１３は、出力されるデータに基づいて画面を表示する。これにより、表示部１３には、各スピーカの位置、角度、配置されるスピーカの総数、スピーカの種別、各スピーカに接続が推奨されるアンプ等が表示される。また、劇場等の施設の部屋形状や音圧分布等の音場シミュレーション結果を併せて表示することができる。
【００４１】
このようにこの実施形態によれば、スピーカシステムシミュレータにおいて、スピーカのセッティングを個々に行うのではなく、複数の分散スピーカを役割別にグルーピングした「分散スピーカ面」単位でセッティングを行い、また、分散スピーカ面のセッティングに合わせて、面内の各スピーカのセッティングをデータ処理装置１が計算する。すなわち、操作者が分散スピーカ面のプロパティをデータ処理装置１に入力するだけで、各スピーカのセッティングを自動決定することができる。また、この実施形態では、スピーカ群を編集する際に、個々のスピーカのセッティングを意識せずに、分散スピーカ面をセッティングすることで、システム全体のスピーカのセッティングができる。すなわち、この実施形態では、天井等の面に対するスピーカの配置パターンや配置間隔を操作者が入力するだけで、スピーカの配置位置や総数が自動的に算出される。
また、例えば、ひとつの部屋の天井にアナウンス用のシーリングスピーカ群とＢＧＭ用のシーリングスピーカ群とを配置する場合であっても、それぞれのスピーカ群毎にセッティングを行うことができるから、スピーカ一つひとつを個別にセッティングする必要がなく、作業者の作業負荷を軽減することができる。
【００４２】
ところで、従来では、スピーカ群を水平でない天井に等間隔格子状に設置する際、作業者は、天井の傾きを考慮して、各スピーカの位置や角度を一つずつ計算しなければならず、その作業は煩雑であった。これに対しこの実施形態では、作業者が分散スピーカ面の角度をデータ処理装置１に入力するという簡単な操作を行うだけで、水平でない天井に複数のスピーカを配置する場合であっても、作業者がこれら複数のスピーカの位置や角度を個別に算出する必要がない。
【００４３】
また、従来では、スピーカ群とアンプとの接続を決定する際には、作業者は、接続するアンプのスペックと、同じアンプに接続する他のスピーカのスペックとを考慮して、妥当なシステムとなるように、各スピーカをどのアンプに接続するべきか一つずつ計算していかなければならず、その作業は煩雑であって。これに対しこの実施形態では、分散スピーカ面は、役割別にスピーカ群をグルーピングしたものであるので、その中における推奨接続アンプを提示することができる。
【００４４】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述の実施形態では、データ処理装置１が、分散スピーカ面の面設定データから、分散スピーカ面に配置する各スピーカの位置、角度、スピーカ総数等を特定した。これに加えて、例えば、操作者が操作部１４を操作して所定の聴取位置において所望する音圧レベルを入力するようにし、制御部１１が、前記入力された聴取位置音圧レベルを満足する各スピーカの音圧レベル（又は各スピーカに入力すべき信号レベル）を算出し、算出結果をスピーカ設定データとして表示するようにしてもよい。この場合は、スピーカの機種により能率が異なるため発生する音圧レベルは異なるから、制御部１１が、入力された聴取位置音圧レベルとスピーカの能率（種別）とに応じて各スピーカの音圧レベル（又は各スピーカに入力すべき信号レベル）や密集度を算出するようにしてもよい。具体的には、例えば、選択された機種の能率が小さいほど配置密集度が高くなるように、入力された聴取位置音圧レベルとスピーカの能率（機種）とを用いて密集度を算出するようにしてもよい。また、データ処理装置１が、算出した密集度からスピーカの位置や総数を算出するようにしてもよい。
【００４５】
（２）上述の実施形態では、スピーカを天井に配置する場合の分散スピーカ面のプロパティ設定について説明したが、分散スピーカ面は、天井に限らず、側壁等であってもよく、また、例えば、天井と側壁との組み合わせ、といったように、複数の面をひとまとめにしたものであってもよい。また、分散スピーカ面は、平面であってもよく、また、曲面であってもよい。また、上述の実施形態では、スピーカを面上に配置する場合のセッティングについて説明したが、スピーカを配置するものは面に限らず、例えば３次元空間上であってもよく、また、線上であってもよい。
【００４６】
（３）上述の実施形態において、制御部１１が、操作部１４から供給される操作信号に応じて、分散スピーカ面に係る面設定データに含まれる各データ（面寸法データ、基準位置データ、スピーカ配置パターンデータ、ピッチデータ等）の少なくともいずか一つの値を変更し、新たに面設定データ記憶領域１２３に記憶するようにしてもよく、また、面設定データを複製し、新たに面設定データ記憶領域１２３に記憶するようにしてもよい。この場合は、制御部１１は、面設定データ記憶領域１２４に記憶されたスピーカ配置パターンデータの示す配置規則に基づき、面設定データ記憶領域１２４に新たに記憶されたデータを含む面寸法データの示す寸法と基準一データの示す基準位置をピッチデータの示す配置間隔とから、分散スピーカ面内に設置されるスピーカの数と位置とを特定し、特定した内容を示す音響シミュレーション面データを生成し、音響シミュレーション面データ記憶領域１２４に記憶する。
【００４７】
また、上述の実施形態において、制御部１１が、操作部１４からの操作信号に基づいて、音響シミュレーション面データ記憶領域１２４に記憶された音響シミュレーション面データを読み出して複製し、新たに音響シミュレーション面データ記憶領域１２４に記憶するようにしてもよい。また、制御部１１が、操作部１４からの操作信号に基づいて、音響シミュレーション面データ記憶領域１２４に記憶された音響シミュレーション面データを読み出して変更し、新たに音響シミュレーション面データ記憶領域１２４に記憶するようにしてもよい。この場合は、例えば、計算結果である各スピーカの座標について、特定のひとつのスピーカが火災報知器とぶつかるために少しずらしたい、といった場合に、データ処理装置１の利用者が、操作部１４を操作することによって音響シミュレーション面データに含まれるスピーカの位置を変更することができる。上述の実施形態では、分散スピーカ面の単位でセッティングデータ（面設定データや音響シミュレーション面データ）を管理することによりセッティングデータの複製が容易である。
【００４８】
（４）上述の実施形態において、データ処理装置１が、スピーカの特性を示す音響シミュレーション面データを用いて、分散スピーカ面に配置されるスピーカによって発生する音響をシミュレーションするようにしてもよい。また、この場合に、操作者が分散スピーカ面の反射率（又は材質等）を操作部１４を用いて指定するようにし、データ処理装置１の制御部１１が、指定された反射率を用いてスピーカからの音響の面反射をシミュレーションするようにしてもよい。
【００４９】
（５）上述した実施形態において、分散スピーカ面のスピーカ郡のレイアウトとして、カバーエリア（音圧分布）を考慮したレイアウトを指定したが、以下の点を考慮してスピーカ群のレイアウトを決定してもよい。例えば、各スピーカの設置面の建築的な仕様（下地の入り方などの内部の仕上げ、仕上げパネルの意匠や目地の入り方などの外部の仕上げ等）により、スピーカ群のレイアウトを決定してもよい。或いは、スピーカ群のレイアウト（各スピーカの間隔）を直接数値入力してもよい。
【００５０】
（６）上述した実施形態では、各スピーカの位置、各スピーカの角度、スピーカの総数、スピーカの種類、スピーカに接続する推奨アンプ、を表示部１３に表示することによって操作者に報知するようにした。これらすべての情報を操作者に報知する必要はなく、これらの情報のうちの少なくともいずれか一つの情報を操作者に報知するようにしてもよい。
【００５１】
（７）上述した実施形態では、セッティング結果を表示部１３に表示することによって操作者に報知したが、報知の態様はこれに限らず、例えば、音声メッセージを出力することによって報知してもよく、また、セッティング結果を示す情報を電子メール形式で操作者のメール端末に送信するという形態であってもよい。また、セッティング結果を示す情報を記憶端末に出力して記憶させるようにしてもよく、この場合、操作者はコンピュータを用いてこの記憶媒体から情報を読み出させることで、それらを参照することができる。また、評価結果を所定の用紙に印刷出力してもよい。要は操作者に対して何らかの手段でメッセージ乃至情報を伝えられるように、評価結果を示す情報を出力するものであればよい。
【００５２】
（８）上述の実施形態では、データ処理装置１が本実施形態に係る全ての処理を実行するようになっていた。これに対し、通信ネットワークで接続された２以上の装置が上記実施形態に係る機能を分担するようにし、それら複数の装置を備えるシステムが同実施形態のデータ処理装置１を実現するようにしてもよい。例えば、表示装置及び操作部等を備えるコンピュータ装置と、レイアウト算出処理を行うサーバ装置とが、通信ネットワークで接続されたシステムとして構成されていてもよい。
【００５３】
（９）上述の実施形態におけるデータ処理装置１の制御部１１によって実行されるプログラムは、磁気テープ、磁気ディスク、フレキシブルディスク、光記録媒体、光磁気記録媒体、ＲＡＭ、ＲＯＭなどの記録媒体に記録した状態で提供し得る。また、インターネットのようなネットワーク経由でデータ処理装置１にダウンロードさせることも可能である。
【図面の簡単な説明】
【００５４】
【図１】データ処理装置のハードウェア構成の一例を示すブロック図である。
【図２】スピーカ・アンプ対応テーブルの内容の一例を示す図である。
【図３】データ処理装置が行う処理の流れを示すフローチャートである。
【図４】表示部に表示される画面の一例を示す図である。
【図５】表示部に表示される画面の一例を示す図である。
【図６】表示部に表示される画面の一例を示す図である。
【図７】データ処理装置の機能的構成を示すブロック図である。
【図８】スピーカの配置態様の一例を示す図である。
【符号の説明】
【００５５】
１…データ処理装置、１１…制御部、１２…記憶部、１３…表示部、１４…操作部、１０１…設定画面、１０２…テキストボックス、１０３…プルダウンメニュー、１０４…プルダウンメニュー、１０５…テキストボックス、１０６…テキストボックス、１０７…テキストボックス、１０８…ＯＫボタン、１０９…キャンセルボタン、１１１…データ取得部、１１２…スピーカ位置算出部、１１３…スピーカ角度算出部、１１４…スピーカ総数算出部、１１５…スピーカ種類特定部、１１６…推奨アンプ決定部、１１７…表示画面生成部、１２１…配置パターンデータ記憶領域、１２２…スピーカ・アンプ対応テーブル記憶領域、１２３…面設定データ記憶領域、１２４…音響シミュレーション面データ記憶領域、２０１…設定画面、２０２…プルダウンメニュー、２０４…テキストボックス、２０５…テキストボックス、２１１…プルダウンメニュー、３０１…設定画面、３０２…プルダウンメニュー、３０３…プルダウンメニュー、３０４…プルダウンメニュー、３０５…ラジオボタン、３０６…テキストボックス、３０７…テキストボックス。
【図１】
0005092616.tif 000002
【図２】
0005092616.tif 000003
【図３】
0005092616.tif 000004
【図７】
0005092616.tif 000005
【図８】
0005092616.tif 000006
【図４】
0005092616.tif 000007
【図５】
0005092616.tif 000008
【図６】
0005092616.tif 000009